(57)【要約】  【課題】  簡単な構成で、ディスクをオーバーランさせることなく確実にローディング可能な、ディスクローディング装置を提供する。  【解決手段】  ターンテーブル５後方の所定の位置においてシャーシ４の底面より上方に延びる、小さいブロック状のストッパリブ１を設けた構成としている。このストッパリブ１は、挿入口４ａから挿入された大径のディスク２がこれに当接することにより、オーバーランを防止するものであり、左右の二個所に設けられている。またストッパリブ１は、大径のディスク２の中心孔がターンテーブル５を若干通過した状態で、ディスク２の外周縁部に当接するように配設されている。【選択図】      図２
2007018657.tif 000002
【特許請求の範囲】
【請求項１】
挿入口より挿入されたディスクをシーソー様に回動可能なフラップと略鼓形状に形成さ
れてなるローラとの間で挟持し、前記ローラの回転により前記ディスクをセンタリングし
つつ、該ディスクを載置して回転するターンテーブルまで搬送するディスクローディング
装置において、
前記ターンテーブルの後方に、ローディング時に前記ディスクの中心孔が前記ターンテ
ーブルを若干通過した状態で、前記ディスクの外周縁部に当接して該ディスクを停止する
ストッパリブを設け、前記ストッパリブは、前記ディスクの外周縁部を摺動案内する第１
の斜面と、その摺動案内された前記ディスクの外周縁部と当接する垂直面と、前記ディス
クが前記ターンテーブルに載置されたときに該ディスクの外周縁部と同様の高さで且つ離
間した位置となる第２の斜面とを有し、前記第１の斜面，垂直面，第２の斜面は、それぞ
れ前記ストッパリブの下部，中部，上部に設けられていることを特徴とするディスクロー
ディング装置。
【請求項２】
挿入口より挿入されたディスクをフラップとローラとの間で挟持し、前記ローラの回転
により前記ディスクを搬送するディスクローディング装置において、
前記ディスクを載置して回転するターンテーブルの後方に、ローディング時に前記ディ
スクの中心孔が前記ターンテーブルを若干通過した状態で、前記ディスクの外周縁部に当
接して該ディスクを停止するストッパリブを設けたことを特徴とするディスクローディン
グ装置。
【請求項３】
前記ストッパリブは、前記ディスクの外周縁部を摺動案内する第１の斜面と、その摺動
案内された前記ディスクの外周縁部と当接する垂直面と、前記ディスクが前記ターンテー
ブルに載置されたときに該ディスクの外周縁部と同様の高さで且つ離間した位置となる第
２の斜面とを有することを特徴とする請求項２に記載のディスクローディング装置。
【発明の詳細な説明】
【技術分野】
【０００１】
本発明は、ＣＤ，ＤＶＤ等のディスクを保持して当該ディスクをターンテーブルに載置
する、ディスクローディング装置に関するものである。
【背景技術】
【０００２】
従来より、このようなディスクに対して記録或いは再生を行うディスクプレーヤとして
、例えばケース外面に設けられたディスク挿入口からディスクを挿入することにより、こ
のディスクを所定位置に自動で搬入する形式の、いわゆるスロットインモデルのディスク
ローディング装置を備えたディスクプレーヤが知られている。
【０００３】
このようなディスクプレーヤは、上記ディスクローディング装置によって、前記挿入口
に挿入されたディスクを、ターンテーブル上の所定位置に移動させ、クランパーによりこ
のディスクをターンテーブル上に固定保持するようになっている。そして、ターンテーブ
ルを回転駆動することによりディスクを回転させ、回転するディスクの記録面に対してピ
ックアップにより信号を書き込み或いは読み出す構成としている。
【０００４】
図４は、従来のディスクローディング装置の概略平面図である。同図に示すように、本
例のディスクローディング装置においては、シャーシ４の前部に図示しないフラップが、
シーソー様に前後に回動自在に取り付けられ、またターンテーブル５が中心付近に、及び
略長板状のディスクストッパ６がその奥側に配設されている。ディスクストッパ６の左右
両端には、それぞれ下面より下方へ延びる略円柱状のボス６ａ，６ｂが設けられている。
【０００５】
また、ディスクストッパ６の中央には、ディスクストッパ６が前後にスライドする際の
ガイドとなるガイドリブ６ｃが設けられている。同図において、図示しないディスクがシ
ャーシ４の前部に形成される挿入口４ａから挿入されると、フラップとその下側に設けた
ローラ３との間にディスクが挟み込まれ、この状態でローラ３が回転すると、ディスクが
シャーシ４の内部へと引き込まれる。
【０００６】
ここで、上記ローラ３はシャーシ４の前部で左右方向に延在しており、比較的径が小さ
い中央部分から左右両側に向かって、テーパ状に漸次径が大きくなるいわゆる略鼓形状に
形成されている。この形状により、ローラ３の回転により搬送されるディスクは、搬送方
向に垂直な方向に関して、内側に向かう力を受けることになる。従って、ディスクが挿入
時に左或いは右にずれていたとしても、ローラ３による搬送の際に、ローラ３の形状に基
づいてセンタリングが行われ得る。
【０００７】
さて、挿入口４ａより挿入されたディスクは、シャーシ４内部に搬送され、ディスクス
トッパ６の端部に設けた上記ボス６ａ，６ｂのいずれかに接触する。この状態で、ディス
クはセンタリングに伴う回転を開始する。続いて、ディスクは上記内側に搬送され、ディ
スクストッパ６と嵌合してセンタリングが終了する。さらに、ディスクはシャーシ４奥側
に搬送されるので、これによりディスクストッパ６が押し込まれ、チャッキング開始のト
リガーがかかる。
【０００８】
このとき、ディスクの中心孔がターンテーブル５の真上に位置しているので、図示しな
いクランパーが下降することにより、ターンテーブル５との間でディスクが挟み込まれ、
チャッキングが終了する。以上のようにして、従来のいわゆるスロットインモデルのディ
スクローディング装置においては、ディスクが挿入時に左或いは右にずれていたとしても
、センタリングが行われてスムーズにチャッキングされる。なお、シャーシ４の左部には
アーム状のディスクセレクタ７が前後に延在しており、挿入されたディスクの径をこれに
より判別する。
【０００９】
その他、スロットインモデルにおいてディスクのセンタリング及びチャッキングを行う
構成として、様々なものが特許文献１〜３に開示されている。
【特許文献１】特開２００４−２７２９８５号公報
【特許文献２】特開２００２−１５７８０１号公報
【特許文献３】特開平８−７４３３号公報
【発明の開示】
【発明が解決しようとする課題】
【００１０】
しかしながら、上記図４に示したような従来の構成では、特に直径１２ｃｍのいわゆる
大径ディスクが挿入されたときに、ローラ３の駆動力の影響が大きく、そのディスクがシ
ャーシ４の奥へとオーバーランしてしまうことがあり、こうなるとディスクの中心孔がタ
ーンテーブル５を通過してしまうので、チャッキングミスが生じる。しかもディスクが装
置から取り出せなくなったり、また破損したりするおそれがある。
【００１１】
その他、上記特許文献１〜３に記載のような構成では、いずれの構造も比較的大掛かり
となっており、コストアップとなる上に、製造時や使用時におけるトラブルの要因となる
おそれがある。本発明は、以上のような問題点に鑑み、簡単な構成で、ディスクをオーバ
ーランさせることなく確実にローディング可能な、ディスクローディング装置を提供する
ことを目的とする。
【課題を解決するための手段】
【００１２】
上記目的を達成するために、本発明では、挿入口より挿入されたディスクをフラップと
ローラとの間で挟持し、前記ローラの回転により前記ディスクを搬送するディスクローデ
ィング装置において、前記ディスクを載置して回転するターンテーブルの後方に、ローデ
ィング時に前記ディスクの中心孔が前記ターンテーブルを若干通過した状態で、前記ディ
スクの外周縁部に当接して該ディスクを停止するストッパリブを設けたことを特徴とする
。
【００１３】
また、前記ストッパリブは、前記ディスクの外周縁部を摺動案内する第１の斜面と、そ
の摺動案内された前記ディスクの外周縁部と当接する垂直面と、前記ディスクが前記ター
ンテーブルに載置されたときに該ディスクの外周縁部と同様の高さで且つ離間した位置と
なる第２の斜面とを有することを特徴とする。
【発明の効果】
【００１４】
本発明によれば、簡単な構成で、ディスクをオーバーランさせることなく確実にローデ
ィング可能な、ディスクローディング装置を提供することができる。
【００１５】
具体的には、ローディング時にディスクの中心孔がターンテーブルを若干通過した状態
で、ディスクの外周縁部に当接してディスクを停止するストッパリブを設けたことにより
、挿入されたディスクがオーバーランすることが防止され、スムーズなチャッキングが可
能となる。
【発明を実施するための最良の形態】
【００１６】
以下、本発明の実施の形態について、図面を参照しながら説明する。なお、上記従来の
技術と同様の機能を有する部分には同一の符号を付して、詳細な説明を適宜省略する。
【実施例１】
【００１７】
図１は、本発明の実施例１に係るディスクローディング装置のシャーシ部概略平面図で
ある。本実施例では同図に示すように、ターンテーブル５後方の所定の位置においてシャ
ーシ４の底面より上方に延びる、小さいブロック状のストッパリブ１を設けた構成として
いる。これは例えば樹脂金型によりシャーシ４と一体で形成される。このストッパリブ１
は、挿入口４ａから挿入された大径ディスクがこれに当接することにより、オーバーラン
を防止するものであり、本実施例では左右の二個所に設けられている。
【００１８】
図２は、大径ディスクがローディングされた状態のシャーシ部概略平面図である。同図
において、ストッパリブ１は、大径のディスク２の中心孔がターンテーブル５を若干通過
した状態で、ディスク２の外周縁部に当接するように配設されている。ストッパリブ１の
配置個所は、ディスク２のオーバーランを確実に防止することができる位置であれば、一
個所以上何個所でも構わない。
【００１９】
図３は、ストッパリブの側面図である。同図に示すように、ストッパリブ１は、シャー
シ４底面より上方に延びる先すぼみ形状のブロック状を成している。具体的には、ストッ
パリブ１の下部に、図の左方に位置するターンテーブル５（ここでは不図示）の中心に対
して離れるほど高くなる斜面１ａが設けられており、その上側でストッパリブ１の中部に
、ターンテーブル５の中心を向いた垂直面１ｂが、更にその上側でストッパリブ１の上部
に、ターンテーブル５の中心に対して離れるほど高くなる斜面１ｃが、それぞれ設けられ
ている。なお垂直面１ｂは、ディスクの挿入方向に対して垂直な面でもある。
【００２０】
さて、大径のディスク２が上記シャーシ４の挿入口４ａより装置内に挿入されると、同
図（ａ）に示すように、二点鎖線で示すディスク２の外周縁部がストッパリブ１の斜面１
ａに当接し、これに沿って摺動しつつ上昇する。やがてディスク２の外周縁部は、同図（
ｂ）に示すように、ストッパリブ１の垂直面１ｂに当接し、これによりディスク２が停止
する。この状態では、ディスク２の中心孔がターンテーブル５を若干通過した位置となっ
ている。
【００２１】
次に、チャッキング動作により、ディスク２がターンテーブル５に載置され、図示しな
いクランパーによりクランプされると、同図（ｃ）に示すように、ディスク２の外周縁部
はストッパリブ１の垂直面１ｂから離れて、その上方でターンテーブル５寄りに位置する
ようになる。このとき、ストッパリブ１の上部に設けた斜面１ｃとディスク２の外周縁部
は、同様の高さであるが大きく離間しているので、ディスク２がターンテーブル５により
回転したとき、ディスク２が若干偏心していたとしても、ストッパリブ１に当接すること
はない。
【００２２】
また、ローディング時にディスク２の外周縁部が万一斜面１ｃに乗り上げたとしても、
チャッキング時にはここから滑り落ちるので、ディスク２はターンテーブル５にスムーズ
に載置される。なお、ストッパリブ１によりディスク２が停止した状態では、その中心孔
がターンテーブル５を若干通過して、多少ずれた位置となっているが、ターンテーブル５
の上端周縁部に設けた図示しないテーパ部が前記中心孔に入り込むので、ディスク２は必
ずターンテーブル５に載置され、確実なチャッキングが可能である。以上のようにして、
シャーシより突設するストッパリブという簡単な構成で、挿入されたディスクがオーバー
ランすることが防止され、スムーズなチャッキングが可能となる。
【図面の簡単な説明】
【００２３】
【図１】本発明の実施例１に係るディスクローディング装置のシャーシ部概略平面図。
【図２】大径ディスクがローディングされた状態のシャーシ部概略平面図。
【図３】ストッパリブの側面図。
【図４】従来のディスクローディング装置の概略平面図。
【符号の説明】
【００２４】
１    ストッパリブ
２    ディスク
３    ローラ
４    シャーシ
４ａ    挿入口
５    ターンテーブル
６    ディスクストッパ
７    ディスクセレクタ
【図１】
2007018657.tif 000003
【図２】
2007018657.tif 000004
【図３】
2007018657.tif 000005
【図４】
2007018657.tif 000006